(57)【要約】【課題】    排水管等で発生する臭気が排水口等の開口部から漏れるのを確実に防いで、その臭気によって不快感が生じるのを防ぐことができる防臭用カバーを提供する。【解決手段】  臭気が漏れる排水口(32)等の開口部を塞ぐための閉塞部材(２)を設け、この閉塞部材(２)の臭気発生源側において、臭気を消臭するための消臭剤(５)を保持させる。【選択図】  図４
2006125129.tif 000002
【特許請求の範囲】
【請求項１】
臭気が漏れる開口部を塞ぐための閉塞部材を備え、この閉塞部材の臭気発生源側に、臭気を消臭するための消臭剤が保持されていることを特徴とする防臭用カバー。
【請求項２】
前記閉塞部材における臭気発生源とは反対側に、芳香剤が保持されている請求項１記載の防臭用カバー。
【請求項３】
前記閉塞部材を前記開口部の周縁に貼り付けるための接着剤を備えている請求項１又は２記載の防臭用カバー。
【請求項４】
前記閉塞部材は、シート状又は平板状に形成されている請求項１乃至３のいずれかに記載の防臭用カバー。
【請求項５】
前記開口部は、水回り設備に設けられた排水口である請求項１乃至４のいずれかに記載の防臭用カバー。
【請求項６】
前記開口部は、便器ボウルの上端開口部である請求項１乃至４のいずれかに記載の防臭用カバー。
【発明の詳細な説明】
【技術分野】
【０００１】
この発明は、主として住宅において、水回り設備の排水口等から臭気が漏れるのを防ぐために用いられる防臭用カバーに関する。
【背景技術】
【０００２】
賃貸住宅等において、住人が退居した後、次の入居者が決まるまで空室となっている間は、洗面、浴室若しくは台所その他の各水回り設備、及びトイレの便器ボウルに連なる排水管のトラップに水を張ることによって、それらの排水管の臭気が室内側に漏れるのを防ぐことが一般的に行われている。
【０００３】
しかし、空室の状況が長期間続くと、トラップに張った水が乾燥してなくなり、排水管の臭気が室内に充満するため、室内に入った人が不快感を感じてしまうことがあった。したがって、そのような排水管からの臭気による不快感を軽減するためには、室内に市販の芳香剤を複数設置することなどが必要であった。
【０００４】
そこで、トラップの水がなくなっても、排水管の臭気が漏れないようにするために、例えば下記の特許文献１に記載されているように、排水口等の開口部を栓で塞ぐことによって、その開口部からの臭気漏れを防ぐことが考えられる。
【０００５】
【特許文献１】特開２００４−１６２４４９号公報
【発明の開示】
【発明が解決しようとする課題】
【０００６】
しかし、上記の特許文献１のように栓を用いて開口部を塞いだとしても、それだけでは臭気の漏れを十分に防ぐことはできず、空室時独特の臭気による不快感を解消することはできなかった。
【０００７】
そこで、この発明は、上記のような不具合を解消して、排水管等で発生する臭気が排水口等の開口部から漏れるのを確実に防いで、その臭気によって不快感が生じるのを防ぐことができる防臭用カバーを提供することを目的とする。
【課題を解決するための手段】
【０００８】
上記の課題を解決するため、この発明における防臭用カバーは、臭気が漏れる開口部を塞ぐための閉塞部材を備え、この閉塞部材の臭気発生源側に、臭気を消臭するための消臭剤が保持されていることを特徴とする。
【０００９】
また、前記閉塞部材における臭気発生源とは反対側に、芳香剤が保持されている。
【００１０】
さらに、前記閉塞部材を前記開口部の周縁に貼り付けるための接着剤を備えている。
【００１１】
さらにまた、前記閉塞部材は、シート状又は平板状に形成されている。
【００１２】
具体的に、前記開口部は、水回り設備に設けられた排水口である。また、場合によって、前記開口部は、便器ボウルの上端開口部である。
【発明の効果】
【００１３】
この発明における防臭用カバーを用いると、排水口等の開口部を閉塞部材で塞ぐことによって、その開口部からの臭気漏れを概ね遮断しつつ、遮断しきれない僅かな臭気は、閉塞部材の臭気発生源側に保持された消臭剤によって予め消臭することができるため、不快感が生じるような臭気漏れを防ぐことができる。
【００１４】
その上、閉塞部材における臭気発生源とは反対側に芳香剤が保持されているため、僅かな臭気が開口部から漏れたとしても、その臭気を芳香剤の芳香によって打ち消すことができるとともに、その芳香剤の芳香が部屋中に行き渡って、室内の香りを良好にすることができる。
【００１５】
特に、アパート等の空室において、この発明の防臭用カバーを、洗面、浴室若しくは台所その他の各水回り設備の排水口や、便器ボウルの上端開口部に取り付けることにより、それらの排水口や便器ボウルに連なる排水管のトラップに張った水がなくなっても、従来のように市販の芳香剤を別途用意することなく、排水管の臭気による空室時独特の不快な臭いをなくすことができる。
【００１６】
また、この発明の防臭用カバーは、閉塞部材を開口部の周縁に貼り付けるための接着剤を備えているため、排水口の口縁部や便器ボウルの上端部等の開口部周縁に対して、防臭用カバーを容易に接着させることができるとともに、その開口部周縁への接着によって開口部が密封されるため、開口部からの臭気漏れを十分に防ぐことができる。
【００１７】
さらに、閉塞部材が、シート状又は平板状といった単純な形状に形成されているため、製造コストの低減化を図ることができるとともに、かかる形状の閉塞部材を開口部周縁に載置するだけで、簡単に開口部を塞ぐことができる。
【発明を実施するための最良の形態】
【００１８】
以下、この発明の実施形態を図面に基づいて詳細に説明する。この発明の一実施形態に係る防臭用カバー(１)は、図３及び図４に示すように、洗面ボウル(31)の底部に設けられた排水口(32)から、その排水口(32)に連なる排水管(33)の臭気が漏れるの防ぐために用いられるものである。
【００１９】
この防臭用カバー(１)は、図１及び図２に示すように、排水口(32)を塞ぐための閉塞部材としての閉塞シート(２)に、芳香剤(４)と消臭剤(５)とが予め装着されてなる。閉塞シート(２)は、排水口(32)の形状に対応するようにして例えば円形に形成され、排水口(32)よりも大径となるように形成されている。また、閉塞シート(２)には、その外縁の一部が外方へ張り出してなる摘み片(10)が設けられている。
【００２０】
なお、閉塞シート(２)の形状は、必ずしも円形に限られず、その閉塞シート(２)が取り付けられる排水口(32)の形状に応じて適宜決定される。また、閉塞部材としては、必ずしもシート状のものを用いる必要はなく、例えば、比較的厚肉の平板状のものを用いるようにしても良い。
【００２１】
閉塞シート(２)は、その裏面側が臭気発生源側に位置するような向きで、排水口(32)に取り付けられるものであり、閉塞シート(２)裏面の周縁部には、全周に亘って接着剤(28)が予め塗布されている。したがって、閉塞シート(２)の周縁部を、排水口(32)の周縁部に載置して押さえるだけで、その排水口(32)周縁部に閉塞シート(２)の裏面を容易に貼り付けることができるようになっている。
【００２２】
この接着剤(28)としては、排水口(32)周縁から閉塞シート(２)を取り外す際に、その排水口(32)周縁の接着部分に接着剤(28)の一部が残らない程度の接着力を備えたものが用いられている。接着剤(28)として、具体的には、例えばアクリル系の合成樹脂からなるものが用いられるが、特にこれに限定されるものではない。
【００２３】
なお、接着剤(28)は、閉塞シート(２)の裏面において摘み片(10)の部分には塗布されていないものとし、閉塞シート(２)を排水口(32)周縁から剥がす際は、摘み片(10)を摘んでめくり上げるだけで容易に剥がすことができるようになっている。
【００２４】
また、閉塞シート(２)表面の中央部には、芳香剤(４)を収容するための多孔性ケース(14)が取り付けられ、閉塞シート(２)裏面の中央部には、消臭剤(５)を収容するための多孔性ケース(15)が取り付けられている。
【００２５】
これら多孔性ケース(14)(15)は、それぞれ例えば平面から見て略円形とされ、その周縁部において閉塞シート(２)に接着又は圧着等によって貼り付けられている。また、多孔性ケース(14)(15)には、それぞれ多数の通気孔(24)(25)…が設けられている。これらの通気孔(24)(25)…は、多孔性ケース(14)(15)内の芳香剤(４)や消臭剤(５)が通気孔(24)(25)…を通って外部に流出しない程度で、且つ、芳香剤(４)の芳香成分や消臭剤(５)の消臭成分の放出が可能な程度の大きさを有している。
【００２６】
なお、多孔性ケース(14)(15)としては、必ずしも上記のように通気孔(24)(25)…を形成することにより通気性が確保されるものに限られず、それ自体通気性を有するような不織布等の多孔質部材を用いるようにしても良い。
【００２７】
芳香剤(４)は、閉塞シート(２)表面側の多孔性ケース(14)に充填されており、これにより、閉塞シート(２)における臭気発生源とは反対側に保持されている。この芳香剤(４)としては、家庭用の芳香剤として一般的に用いられる粒状又はゲル状その他の固形物が用いられるが、必ずしもこれに限られず、例えば、不織布等の多孔質性部材に液状の芳香剤を含浸させたものを用いるようにしても良い。
【００２８】
他方、消臭剤(５)は、閉塞シート(２)裏面側の多孔性ケース(15)に充填されており、これにより、閉塞シート(２)の臭気発生源側に保持されている。この消臭剤(５)としては、家庭用の消臭剤として一般的に用いられている粒状又はゲル状その他の固形物が用いられているが、必ずしもこれに限られず、例えば、不織布等の多孔質性部材に液状の消臭剤を含浸させたものを用いるようにしても良い。
【００２９】
このようにして、芳香剤(４)及び消臭剤(５)は、それぞれ閉塞シート(２)の面方向に沿って層状に設けられている。したがって、防臭用カバー(１)は、全体的に平らで薄い形状となっているため、設置状態において排水口(32)周辺の他部材に干渉しにくく、取り扱い性に優れている。
【００３０】
なお、この実施形態では、多孔性ケース(14)(15)に充填することで、芳香剤(４)及び消臭剤(５)を保持するようにしているが、芳香剤(４)及び消臭剤(５)を保持するための構成は特に限定されるものではなく、例えば、芳香剤(４)及び消臭剤(５)を閉塞シート(２)に直接貼り付けるようにしても良い。
【００３１】
また、閉塞シート(２)の表面側において、芳香剤(４)が収容された多孔性ケース(14)表面に非通気性の剥離シート(26)が貼り付けられており、この剥離シート(26)によって多孔性ケース(14)の通気孔(24)(24)…が密封された状態となっている。したがって、防臭用カバー(１)の使用前において、芳香剤(４)の芳香成分が放出されるのを防止できるようになっている。
【００３２】
他方、閉塞シート(２)の裏面側においては、その全面に亘って非通気性の剥離シート(27)が貼り付けられており、消臭剤(５)が収容された多孔性ケース(15)の通気孔(25)(25)…が密封されるとともに、接着剤(28)の表面が覆われた状態となっている。したがって、防臭用カバー(１)の使用前において、消臭剤(５)の消臭成分が放出されるのを防止できるとともに、接着剤(28)に異物が付着して接着力が弱まるのを防止できるようになっている。
【００３３】
以上の構成からなる防臭用カバー(１)を、図３(ａ)に示すような洗面ボウル(31)底部の排水口(32)に取り付ける際は、閉塞シート(２)の表面側及び裏面側の剥離シート(26)(27)を剥がした状態で、図３(ｂ)及び図４に示すように、閉塞シート(２)周縁部を排水口(32)の周縁部に載置して、閉塞シート(２)裏面の接着剤(28)を排水口(32)の周縁部に接着させる。これにより、閉塞シート(２)が排水口(32)の周縁に貼り付けられて、排水口(32)は閉塞シート(２)によって密封されることとなる。
【００３４】
このように、防臭用カバー(１)は、閉塞シート(２)を排水口(32)の周縁に貼り付けるための接着剤(28)を備えているため、上記のように排水口(32)への取付けを簡単に行うことができることに加えて、排水口(32)から排水管(33)の臭気が漏れるのを防止することができる。
【００３５】
また、この取付け状態においては、図４に示すように、防臭用カバー(１)の消臭剤(５)が、排水口(32)に入り込んだ位置に配置されているため、排水口(32)付近まで逆流してきた排水管(33)の臭気が、消臭剤(５)により消臭されることとなる。
【００３６】
すなわち、排水管(33)の臭気は、排水口(32)が閉塞シート(２)で塞がれることで排水口(32)からの漏れが概ね遮断されるとともに、僅かな臭気漏れが生じるとしても、その臭気は閉塞シート(２)の手前側で消臭されてから漏れることとなる。しかも、閉塞シート(２)の室内側に芳香剤(４)が配置されているため、排水口(32)から僅かに漏れた臭気が芳香剤(４)の芳香によって打ち消されるとともに、芳香剤(４)の芳香が部屋中に行き渡って、室内の香りを良好に維持できるようになっている。
【００３７】
したがって、排水管(33)に連なる図示しないトラップにおいて、そのトラップに張った水が乾燥してなくなってしまったとしても、排水口(32)に防臭用カバー(１)を取り付けておくことで、排水管(33)の臭気が排水口(32)から漏れるのを防止して、排水口(32)からの臭気漏れによる不快感を解消することができる。
【００３８】
以上の実施形態においては、防臭用カバー(１)を、洗面ボウル(31)底部の排水口(32)に取り付ける場合について説明したが、上記の防臭用カバー(１)は、その他の水回り設備に設けられた排水口についても同様に取り付けることができ、例えば、流し台底部や浴室の床部に設けられた排水口に取り付けるようにしても良い。
【００３９】
また、図５に示すように、その他の実施形態に係る防臭用カバー(40)は、便器ボウル(41)の上端開口部(42)に取り付けられるものである。この実施形態では、カバー本体(２)が、便器ボウル(41)の上端開口部(42)の形状に対応するようにして例えば略五角形状に形成されている。
【００４０】
この防臭用カバー(40)を便器ボウル(41)の上端開口部(42)に取り付ける際は、閉塞シート(２)の表面側及び裏面側の剥離シート(26)(27)を剥がした状態で、閉塞シート(２)周縁部を便器ボウル(41)の上端部(43)に載置して、閉塞シート(２)裏面の接着剤(28)を便器ボウル(41)の上端部(43)に接着させる。これにより、閉塞シート(２)が便器ボウル(41)の上端部(43)に貼り付けられて、便器ボウル(41)の上端開口部(42)が閉塞シート(２)によって密封されることとなる。
【００４１】
この取付け状態においては、便器ボウル(41)の上端開口部(42)が閉塞シート(２)で塞がれることで、便器ボウル(41)に連なる図示しない排水管の臭気が、便器ボウル(41)の上端開口部(42)から漏れるのを概ね遮断できるとともに、その上端開口部(42)から僅かに漏れる臭気は、閉塞シート(２)の臭気発生側に配置された消臭剤(５)と、閉塞シート(３)の室内側に配置された芳香剤(４)とにより、上記実施形態と同様に消臭されて、室内の香りを良好に維持できるようになっている。
【００４２】
したがって、便器のトラップに張った水が乾燥してなくなってしまったとしても、便器ボウル(41)の上端開口部(42)に防臭用カバー(40)を取り付けておくことで、その便器ボウル(41)に連なる排水管の臭気が漏れるのを防止して、排水管の臭気漏れによる不快感を解消することができる。
【００４３】
なお、図５に示す実施形態におけるその他の構成及び効果は、図１乃至図４に示す上記実施形態と同様であり、図５において、図１乃至図４に示す実施形態と同様の機能を有する部材については同符号を付してある。
【００４４】
この発明は、以上の実施形態に限定されるものではなく、この発明の範囲内で上記実施形態に多くの修正及び変更を加え得ることは勿論である。例えば、この発明の防臭用カバーは、上記で説明した洗面ボウル(31)等の水回り設備に設けられた排水口(32)や、便器ボウル(41)の上端開口部(42)に限られず、その他の臭気が漏れる開口部に取り付けるようにしても良い。
【図面の簡単な説明】
【００４５】
【図１】この発明の一実施形態に係る防臭用カバーを示す斜視図である。
【図２】同じくその断面図である。
【図３】洗面ボウル底部の排水口を塞ぐ際の使用状態を示す斜視図である。
【図４】同じくその断面図である。
【図５】便器ボウルの上端開口部を塞ぐ際の使用状態を示す斜視図である。
【符号の説明】
【００４６】
(１)  防臭用カバー
(２)  閉塞シート(閉塞部材)
(４)  芳香剤
(５)  消臭剤
(31)  洗面ボウル(水回り設備)
(32)  排水口(開口部)
(41)  便器ボウル
(42)  便器ボウルの上端開口部(開口部)
【図１】
2006125129.tif 000003
【図２】
2006125129.tif 000004
【図３】
2006125129.tif 000005
【図４】
2006125129.tif 000006
【図５】
2006125129.tif 000007